(57)【要約】  開裂横引力以上の横引力が加わった際にはスライダー(50)を操作することなくファスナーストリンガーを開裂させる。  左右一対のファスナーテープの対向側縁に沿ってそれぞれ複数の第１及び第２務歯(12,13)を取着したファスナーストリンガーにおいて、第１及び第２務歯(12,13)の噛合頭部(70)に前方頭部(70F)と後方頭部(70R)とを形成するとともに、この前方頭部(70F)と後方頭部(70R)との間に退避用欠落部(71)を形成した。これにより、左右一対のファスナーストリンガーに開裂横引力以上の横引力が加わった場合には、前方頭部(70F)及び後方頭部(70R)同士が互いに接近する方向（ＯＰ方向）に倒れ込む動作を行う。すると、左右一対の務歯列同士の噛合が緩み、スライダー(50)を摺動させることなく、噛合状態にあった第１及び第２務歯(12,13)列を分離状態にすることができる。
2010106620.tif 000002
【特許請求の範囲】
【請求項１】
左右一対のファスナーテープの対向側縁に沿ってそれぞれ複数の第１及び第２務歯(12,13)が取着された第１及び第２ファスナーストリンガー(16,17)において、
前記第１及び第２務歯(12,13)は、前記ファスナーテープに固着する固着脚部(72)と、前記固着脚部(72)から相手方の第２又は第１務歯(13,12)に向けて延出する噛合首部(78)と、当該噛合首部(78)から更に延出するとともにファスナーテープ長さ方向前方に膨出する前方頭部(70F)と、後方に膨出する後方頭部(70R)と、前記前方頭部(70F)と前記後方頭部(70R)との間に形成した前記前方頭部(70F)と後方頭部(70R)とが互いに近接する方向に移動可能とするための退避用欠落部(71)とを有してなることを特徴とするファスナーストリンガー。
【請求項２】
請求の範囲１に記載のファスナーストリンガーにおいて、
前記第１及び第２ファスナーストリンガー(16,17)の前記ファスナーテープ面のうちの一面をファスナーストリンガーの表面とし、他の面を裏面とした場合に、
前記退避用欠落部(71)を、前記ファスナーストリンガーの表裏方向に貫通する溝として形成し、前記前方頭部(70F)及び後方頭部(70R)を、それぞれ独立した頭部として形成したことを特徴とするファスナーストリンガー。
【請求項３】
請求の範囲１に記載のファスナーストリンガーにおいて、
前記前方頭部(70F)と後方頭部(70R)とを直接接続する架橋部(73)を形成してなることを特徴とするファスナーストリンガー。
【請求項４】
請求の範囲１に記載のファスナーストリンガーにおいて、
前記退避用欠落部(71)は、前記前方頭部(70F)のファスナーテープの長さ方向先端と、前記後方頭部(70R)のファスナーテープ長さ方向先端との中央に位置し、かつ、前記固着脚部(72)へ向けて、延出した溝状の欠落部であって、前記固着脚部(72)側の端部とは反対側の端部が開放されていることを特徴とするファスナーストリンガー。
【発明の詳細な説明】
【技術分野】
【０００１】
本発明は、所定の耐横引力を有するとともに、開裂横引力以上の横引力が加わった際にはスライダーを操作することなく開裂するファスナーストリンガーに関する。
【背景技術】
【０００２】
近年では、自動車のシートバック側部やドア上方のルーフ室内部等に、自動車が衝突した際に乗員の頭部を保護するサイドエアバッグが搭載されている。このサイドエアバッグ装置は、自動車が衝突して大きな衝撃を受けた後に膨張用ガスを発生させるインフレータと、インフレータからガスが供給されて膨張展開するエアバッグとを有している。サイドエアバッグ装置が作動する前のエアバッグ収納状態では、エアバッグが所定の手順で折り畳まれて自動車用シートのシートバック側部等に収納されており、サイドエアバッグ装置自体はシートカバー等で覆われている。【０００３】
通常、自動車用シートの表面には、シートのクッション材を覆うためのファブリックや革などのシートカバーが被せられており、サイドエアバッグ装置が装着されているシートバック側部のシートカバーには、エアバッグを膨出させるための膨出用開口が形成されている。従来、この膨出用開口は、所定の力で引っ張ると切断する脆弱な縫合糸によって縫合されていた。【０００４】
このサイドエアバッグ装置は、自動車が衝突して大きな衝撃を受けたときにその衝撃を感知し、インフレータから高圧ガスを発生させてエアバッグ内に導入し、エアバッグを瞬時に膨張させる。エアバッグ膨出の際には、膨出用開口を縫合している縫合糸に過大な引っ張りの力が加わるので、この力により縫合糸が切断して、閉鎖されていた膨出用開口が開口して、そこからエアバッグが膨出する。このエアバッグは、乗員の側方に展開して乗員の頭部、胸部、腰部などを緩衝支持する。これにより、衝突時に人体に加わる衝撃力を大幅に緩和して、乗員の安全を確保することができる。【０００５】
ところが、エアバッグの膨出用開口部を縫合糸により閉鎖する構造を採用すると、シートにエアバッグ装置を装着してからシートカバーを被せなければならず、製造工程が限定されてしまうという不具合を生じていた。最近の自動車用シートは、ヒーターや座面調整用のアクチュエータ等多彩な補機類が装着されているものが多く、製造工程における自由度が望まれている。また従来は、納車後にエアバッグ装置の点検が必要になった場合には、シートカバーを取り外さないとエアバッグ装置の点検を行うことができないなど、作業工程が煩雑になっていた。【０００６】
更に、縫合糸の破断強度は、その縫合状態によっても大きく変化する上に、自動車室内の温度上昇や経年劣化によっても大きく変化するという不具合を生じていた。縫合糸が切断しにくい場合には、緊急時にエアバッグが膨出しなくなるという重大な不具合が発生する。縫合糸の強度が低い場合には、乗員がシートに着座した際にシートカバーに働く引っ張りの力によって縫合糸が破断してしまい、膨出用開口部が開裂してシートクッションなどが露出してしまうというみっともない事態が発生する。【０００７】
また、エアバッグ膨張展開時には、縫合糸を一本一本順次破断させてゆくことになるので、エアバッグの展開速度が低下するという不具合を生じていた。このように、種々の不具合を有する縫合糸を用いて膨出用開口部を閉鎖する構造に代えて、スライドファスナーを用いた膨出用開口部の閉鎖構造が注目されている。スライドファスナーは、シートカバーに縫着した後であってもスライダーを前後に摺動させることにより膨出用開口部の開閉が自在である。したがって、組立工程の自由度が増して複雑な構造のシートの組立を容易に行うことができるからである。また、エアバッグ装置の点検を行う際においても、スライドファスナーを開閉することによって容易に配線や取り付け部分の点検を行うことができる。【０００８】
また、務歯同士が噛合しているスライドファスナーの一部において務歯同士の噛合を外し、この状態で横引力を印加し続けると、スライダーを動かすことなく弱い力で順次務歯列の噛合を外してゆくことができる。したがって、一本一本の縫合糸を順次破断させてゆく状況とは異なり、開裂速度を速くすることができるので、エアバッグの膨張展開を素早く行って乗員を効果的に保護することができる。特に乗員の頭部と自動車のサイドガラスとの間隔は狭いので、衝突後短時間にサイドエアバッグを膨張展開させる必要がある。【０００９】
例えば、特許文献１（特開２００６−１５１５８号公報）には、エアバッグの膨出用開口に用いるために、開裂容易な構造を有する緊急開口手段付スライドファスナーが開示されている。【００１０】
特許文献１に記載されている緊急開口手段付スライドファスナーに用いられている務歯は、ファスナーテープ側縁部の務歯取付部を跨ぐように固着する二つの脚部と、二つの脚部を繋ぐ胴体部と、左右一対の務歯同士を横引き方向に噛合させるため外端部に形成した噛合頭部と、当該噛合頭部と前記胴体部とを接続する括れた首部とを有している。また、前記噛合頭部の頂部には、噛合軸線に平行な溝が形成されている。更にこの溝に嵌合させるための肩部が、務歯の表裏方向の中央部において、胴体部と首部から張り出す形で形成されている。【００１１】
前記噛合頭部は、噛合された務歯列が横引き方向に開裂するのを防止するために、対向して配された他方のファスナーテープに固着されている二つの隣接する務歯の首部の間に嵌入させて使用する。務歯の首部と胴体部とから張り出す形で形成されている肩部は、対向する噛合頭部に設けられた溝部と嵌合するので、左右のファスナーストリンガー同士が剪断方向にずれて噛合が外れることを防止している。【００１２】
更に、特許文献１に記載されているスライドファスナーでは、この務歯の肩部に対して嵌合する噛合頭部の裏面側を切除することにより、表裏非対称な鼻部形状とした務歯をスライドファスナーの中央部に２個配置してある。この部分は、スライドファスナーの裏面側からの突上力に対して開裂しやすい部分となり、エアバッグ膨出時におけるスライドファスナーにおける開裂起点となる。
【特許文献１】特開２００６−１５１５８号公報
【発明の開示】
【発明が解決しようとする課題】
【００１３】
上記のように、特許文献１に記載されている緊急開口手段付スライドファスナーでは、エアバッグの膨張などにより裏側から力が加わった際に、噛合している務歯同士を外れやすくするために、スライドファスナーの中央部に開裂起点を形成してある。エアバッグ膨張時には、最初に表裏非対称な噛合頭部を有する開裂起点において噛合が外れ、以降エアバッグの膨出に伴って、スライドファスナーの端部に向けて順次噛合が外れるように構成されている。【００１４】
このように、エアバッグの膨出用開口の閉鎖用として種々の利点を備えたスライドファスナーではあるが、特許文献１に記載されている務歯の形状では、何らかの要因により過大な横引力が印加された際に、務歯の首部、又は脚部における薄肉部分において破断が発生し、務歯の噛合頭部がファスナーテープから離間する可能性がある。【００１５】
また、特許文献１に記載されているスライドファスナーは、表から務歯が直接見えるスライドファスナーであるために、自動車のシートカバーにおける膨出用開口部の閉鎖用として用いる場合には、スライドファスナーの表側に、別途フラップなどの覆いを付ける必要があった。スライドファスナーの表面に覆いを取り付けると、その場所にスライドファスナーが存在していることが一目瞭然であり、外観から生地の接合部が見えるという不具合を生ずる。【００１６】
本発明は、このような問題点に鑑みてなされたものであり、スライダーを摺動させることなく左右の務歯列同士を分離状態にする際の開裂横引力を、用途に応じて適宜設定可能にするとともに、開裂横引力以上の横引力を加えて左右のファスナーストリンガー同士を開裂させた場合であっても、その加えた横引力によって務歯が破断するという不具合を減少させることが可能なファスナーストリンガーを提供することを目的としている。
【課題を解決するための手段】
【００１７】
上記目的を達成するために、本発明に係るファスナーストリンガーは、左右一対のファスナーテープの対向側縁に沿ってそれぞれ複数の第１及び第２務歯が取着された第１及び第２ファスナーストリンガーにおいて、前記第１及び第２務歯は、前記ファスナーテープに固着する固着脚部と、前記固着脚部から相手方の第２又は第１務歯に向けて延出する噛合首部と、当該噛合首部から更に延出するとともにファスナーテープ長さ方向前方に膨出する前方頭部と、後方に膨出する後方頭部と、前記前方頭部と前記後方頭部との間に形成した前記前方頭部と後方頭部とが互いに近接する方向に移動可能とするための退避用欠落部と、を有してなることを特徴とする。なお、ここでいう「前記固着脚部から相手方の第２又は第１務歯に向けて」とは、後述するＬ又はＲ方向を指す。【００１８】
また、前記第１及び第２ファスナーストリンガーの前記ファスナーテープ面のうちの一面をファスナーストリンガーの表面とし、他の面を裏面とした場合に、前記退避用欠落部を、前記ファスナーストリンガーの表裏方向に貫通する溝として形成し、前記前方頭部及び後方頭部を、それぞれ独立した頭部として形成することもできる。【００１９】
また、前記前方頭部と後方頭部とを直接接続する架橋部を形成することもできる。
【発明の効果】
【００２０】
本発明に係るファスナーストリンガーによれば、噛合頭部の中央部に退避用欠落部を形成し、その退避用欠落部を挟んだ両側に、前方頭部及び後方頭部を形成した。これにより、噛合状態にある左右の務歯列同士を引き離す方向に向けて開裂横引力以上の横引力を加えると、前方頭部及び後方頭部同士が接近する方向に倒れ込んで、退避用欠落部が狭まる。すると、前方頭部と後方頭部との外側の差し渡し寸法（噛合頭部の前後方向の幅）が減少して、左右一対の務歯列同士の噛合が緩み、噛合状態にあった務歯列同士を分離状態にすることができる。【００２１】
また、前方頭部と後方頭部とが起端する噛合首部の形状、退避用欠落部の深さと、素材の物性等を適宜調節することで、前方頭部及び後方頭部の剛性を所定の範囲に設定することができる。これにより、左右の務歯列同士を強制的に分離状態にする際の開裂横引力を強く設定したり、逆に弱く設定したりすることが容易となり、幅広い用途に応じて開裂横引力を適宜設定することが可能となる。【００２２】
また、開裂横引力をある程度強く設定する必要がある場合において、スライダーを用いずに開裂横引力以上の横引力を加えてファスナーストリンガーを開裂させた場合に、加えた横引力によって務歯が破断するという不具合を減少させることができる。更に、務歯の破断を減少させることで、務歯の破片が飛散する不具合を減少させることができる。【００２３】
ファスナーストリンガーを自動車用シートのエアバッグの膨出用開口部に用いる場合や、膨張用ガスにより膨らむライフジャケットの膨出用開口部等に用いる場合のように、開裂横引力の値を幅広い温度環境下（例えば、−３０°〜＋８０°の間。）で満たさなくてはならない場合がある。このような場合においても、本発明に係るファスナーストリンガーを用いることによって、要求される仕様を満たすことが容易となる。【００２４】
また、噛合頭部の先端に、前方頭部と後方頭部とを直接接続する架橋部を形成することによって、務歯先端に形成されている退避用欠落部が、対向する側の務歯の前方頭部又は後方頭部に引っ掛かったり、スライダー内部の案内柱の鋭頭部に引っ掛かったりすることにより、スライダーの滑らかな摺動が妨げられる不具合を減少させることができる。
【図面の簡単な説明】
【００２５】
【図１】図１は、本発明に係るファスナーストリンガーを自動車用シートのシートバック側部に適用した使用例を示す図である。
【図２】図２は、本発明に係るファスナーストリンガーを用いたスライドファスナーを表面側から観察した斜視図であり、一部においてスライドファスナーの噛合軸線に対して直角な断面をとって示した図である。
【図３】図３は、図２に示したスライドファスナーにおける第１務歯列の拡大斜視図である。
【図４】図４は、スライダーを引き上げて、第１務歯列と第２務歯列とを噛合させた状態を示す務歯列単体の正面断面図である。
【図５】図５は、左右一対の務歯列同士を噛合させた状態を示す務歯列単体の平面図であり、同図の下部に示した左右一対の務歯については表裏方向における中央部にて切断した断面を表している。
【図６】図６は、左右一対の歯列同士を噛合させた状態において、開裂横引力以上の横引力を加えた際の噛合状態を示す務歯列単体の平面図である。
【図７】図７は、左右一対の務歯列が分離状態となった状況を表す務歯の平面図である。
【図８】図８は、一方の務歯列のみに退避用欠落部を形成した他の実施形態を説明する務歯列単体の平面図である。
【図９】図９は、一部の務歯に退避用欠落部を形成した他の実施形態を説明する務歯列単体の平面図である。
【図１０】図１０は、Ｕ字状に折り曲げた隠しスライドファスナー用のファスナーストリンガーの一側縁に、本発明に係る務歯を取着した状態を示す斜視図である。
【図１１】図１１は、表裏方向に対称な務歯の噛合頭部に前方頭部と後方頭部とを形成し、前方頭部と後方頭部との間に表裏方向に貫通する溝形の退避用欠落部を形成した他の実施形態を示す斜視図である。
【図１２】図１２は、Ｕ字状に折り曲げた隠しスライドファスナー用のファスナーストリンガーの一側縁に第１務歯を取着した状態を示す斜視図である。
【図１３】図１３は、図１２に示す第１務歯をＬ−Ｒ方向の切断面で切断した正面断面図である。
【図１４】図１４は、図１２及び図１３に示した左右一対の務歯列にスライダーを挿通させて、務歯列同士の噛合又は分離を行っている状態を示す背面図である。
【図１５】図１５は、コイル状のモノフィラメントに本発明を適用した他の実施形態を示す背面図である。
【符号の説明】
【００２６】
１０  スライドファスナー
１２、１１２、４１２  第１務歯
２１２、３１２、５１２  務歯
１２Ｄ  表係止部
１２Ｈ  表裏噛合溝
１２Ｒ  裏係止部
１２Ｓ  表裏噛合突起
１３、１１３、４１３  第２務歯
１４  芯紐
１５  縫工糸
１６、４１６  第１ファスナーストリンガー
２１６、３１６、５１６  ファスナーストリンガー
１７、４１７  第２ファスナーストリンガー
５０  スライダー
５０Ｄ  案内柱
５０Ｅ  張出部
５０Ｆ  フランジ
５２  上翼片
５９  引手
７０  噛合頭部
７０Ｆ  前方頭部
７０Ｒ  後方頭部
７１  退避用欠落部
７２  固着脚部
７３  架橋部
７４、７５  縫工部
７６  連結糸
７７  嵌挿部
７８  噛合首部
７９  鰓部
９１  自動車用シート
９２  サイドエアバッグ装置
９３  シートクッション
９３ａ  シートカバー
９４  シートバック
９４ａ  シートカバー
【発明を実施するための最良の形態】
【００２７】
以下、本発明に係るファスナーストリンガーの代表的な実施形態について、図面を参照しながら具体的に説明する。【００２８】
図１は、本発明に係るファスナーストリンガーを備えるスライドファスナーを自動車用シートのシートバック側部に適用した使用例を示す図である。例えば、本発明に係るファスナーストリンガーは、サイドエアバッグ装置９２が内部に装着された自動車用シート９１のシートカバー開口部に使用することができる。図１に示した自動車用シート９１は、座部を形成するシートクッション９３と、背もたれ部を形成するシートバック９４とを有している。これらのシートクッション９３やシートバック９４の内部には、自動車用シート９１の全体形状を形成するシートフレームや、乗員が自動車用シート９１に着座した際の荷重を平均して受圧するシートスプリング、発泡性合成樹脂を所定形状に成形したクッション部材等を有している。同クッション部材の表面は、ファブリックや革などのシートカバー９３ａ、９４ａにて被覆してある。【００２９】
シートバック９４の側部には、自動車が衝突して大きな衝撃を受けたときに乗員の側方側に展開させることにより、乗員の頭部側方に加わる衝撃を大幅に緩和するサイドエアバッグ装置９２が内蔵されている。このサイドエアバッグ装置９２の膨出用開口は、スライドファスナー１０にて閉鎖されている。なお、自動車用シート９１の内部には、サイドエアバッグ装置９２の他、座面調節用のアクチュエータやその作動機構、座面において暖房を行うヒーター、その他補機類が装着されているものもある。【００３０】
このシートカバー９４ａは、サイドエアバッグ装置９２その他の補機類を組付けた後に背もたれ部に被せ、スライダー５０（後段にて説明する図２参照。）を摺動させることにより、スライドファスナー１０を用いて閉鎖している。なお、スライドファスナー１０として裏面側に務歯列を配置した隠しスライドファスナーを用いることによって、シートバック９４側部の見栄えを良くすることができる。また、隠しスライドファスナーを用いない場合には、スライドファスナー１０の表面にフラップ等を配置して、務歯列を外部から隠すようにすることもできる。【００３１】
自動車用シート９１に乗員が着座すると、シートバック９４の背もたれ中央部が乗員の荷重により凹むので、シートバック９４側部を覆っているスライドファスナー１０には横引き力が加わる。スライドファスナー１０は、この通常使用時に加わる横引力に対して十分耐える能力が必要である。その一方、自動車が衝突した際には、スライドファスナー１０を瞬時に開裂させて、エアバッグを膨出させなければならない。したがって、スライドファスナー１０は、好ましくは１０Ｎ／ｃｍ程度の通常加わる横引力には十分耐え、エアバッグの膨張により１５０〜３５０Ｎ／ｃｍの横引力が加わった場合には、２０／１０００秒以内に開裂してエアバッグを膨出させる必要がある。【００３２】
そこで、本発明に係るファスナーストリンガーを用いたスライドファスナー１０では、所定の耐横引力を有するとともに、開裂横引力以上の横引力が加わった際にはスライダーを操作することなく開裂するように、スライドファスナー１０における務歯の噛合頭部の形状を工夫している。本発明に係るファスナーストリンガーを用いたスライドファスナー１０の外観について、図２を用いて説明する。【００３３】
図２は、本発明に係るファスナーストリンガーを用いたスライドファスナー１０を表面側から観察した外観斜視図であり、務歯の形状を説明するために、スライドファスナー１０のファスナーテープ長さ方向に延びる噛合軸線（ＦＳ−ＲＳ方向の軸線）に対して直角な断面（Ｌ−Ｒ方向で切断した断面）を取って示してある。図３は、図２に示したスライドファスナー１０における第１務歯１２（第２務歯１３）列のみを拡大して説明する斜視図である。【００３４】
図２に示すように、スライドファスナー１０は、第１ファスナーストリンガー１６及び第２ファスナーストリンガー１７と、第１ファスナーストリンガー１６及び第２ファスナーストリンガー１７を構成するファスナーテープと、当該ファスナーテープの対向する務歯取付部に沿って配した第１務歯１２列及び第２務歯１３列と、第１務歯１２列及び第２務歯１３列を挿通させながら前後（ＦＳ−ＲＳ方向）に動かすことにより第１務歯１２列及び第２務歯１３列同士を噛合させたり離したりするスライダー５０とを備えている。【００３５】
なお、スライドファスナー１０の座標系に関し、スライダー５０を摺動させた際に、第１務歯１２及び第２務歯１３同士が噛合状態となる摺動方向をスライドファスナー１０の前方（図２に示すＦＳ方向。）と定義する。また、スライダー５０を摺動させた際に、噛合状態にあった第１務歯１２及び第２務歯１３同士が分離することとなる摺動方向を、スライドファスナー１０の後方（図２に示すＲＳ方向。）と定義する。また、第１及び第２ファスナーストリンガー１６、１７のファスナーテープ面のうちの一面をスライドファスナー１０の表面（図２に示す実施形態では上面側、後段にて説明する図４ではＯＳ方向。）とし、他の面を裏面（図２に示す実施形態では下面側、後段にて説明する図４ではＵＳ方向。）と定義する。また、図２に示す右側をＲ方向、左側をＬ方向と定義する。なお、スライダー５０は、必ずしも常時ファスナーストリンガーに接続してある必要はなく、例えば第１務歯１２列及び第２務歯１３列を噛合状態としたあとに、スライダー５０を取り除いたものを自動車用シート９１に使用してもよい。【００３６】
図２に示すスライドファスナー１０の務歯取付部は、裏側に向けてＵ字状に反転した形状をしている。この、Ｕ字状に反転した第１ファスナーストリンガー１６及び第２ファスナーストリンガー１７の務歯取付部には、第１務歯１２列及び第２務歯１３列が縫工糸１５により縫着されている。なお、図２に示すスライドファスナー１０はコンシール性を備えた隠しスライドファスナーであるが、本発明は隠しスライドファスナーに用いるファスナーストリンガーのみに限定するものではなく、後段にて説明する図１１に示す形式のスライドファスナーにも適用することができる。また、図２に示すスライドファスナー１０の第１務歯１２列及び第２務歯１３列は、合成樹脂を射出成形により成形した務歯列であるが、本発明は射出成形により成形した務歯に限定するものではなく、ジグザグ状やコイル状のモノフィラメントによる務歯列（後段にて説明する図１５参照。）に適用することも可能である。【００３７】
図２に示すように、第１務歯１２及び第２務歯１３は、左右一対の務歯同士を噛合させるための噛合頭部７０（図３参照）と、当該噛合頭部７０の基部を形成する噛合首部７８（図３参照）と、この噛合首部７８から二股に分かれて噛合首部７８の反対側に向けて延出する一対の固着脚部７２とを有している。【００３８】
第１務歯１２及び第２務歯１３における噛合首部７８から相手方の第２務歯１３又は第１務歯１２に向けて延出する噛合頭部７０は、スライドファスナー１０の前方（ＦＳ方向）に向けて膨出する前方頭部７０Ｆと、後方（ＲＳ方向）に膨出する後方頭部７０Ｒとを有している。【００３９】
図３に示すように、前方頭部７０Ｆの固着脚部７２側であって一対の固着脚部７２と前方頭部７０Ｆの裏側とで囲まれる部分には、噛合時において相手方の第２務歯１３（又は第１務歯１２）の噛合頭部７０を銜え込む空間となる嵌挿部７７を形成してある。図３では、第１務歯１２（又は第２務歯１３）の影に隠れて見えないが、一対の固着脚部７２と後方頭部７０Ｒの裏側とで囲まれる部分には、噛合時において相手方の第２務歯１３（又は第１務歯１２）の噛合頭部７０を銜え込む空間となる嵌挿部７７を形成してある。また図３に示すように、噛合首部７８の前後側の側壁部であって、嵌挿部７７の表裏側のそれぞれには、噛合時において相手方の第２務歯１３（又は第１務歯１２）の噛合頭部７０が、スライドファスナー１０の表裏側に外れることを防止する鰓部７９が突出する形で形成してある。【００４０】
前方頭部７０Ｆと後方頭部７０Ｒとの間には、スライドファスナー１０の左右方向（Ｌ−Ｒ方向）に横引力を加えた際に、前方頭部７０Ｆ及び後方頭部７０Ｒがそれぞれ互いに接近する方向（図３に示す実施形態では、ＯＰ方向。）に倒れ込むことを許容する退避用欠落部７１を形成してある。図２及び図３に示す実施形態では、退避用欠落部７１は、スライドファスナー１０の表裏方向に対して貫通する形の溝としてある。退避用欠落部７１は、前方頭部７０ＦのＦＳ方向先端（ファスナーテープの長さ方向先端）と、後方頭部７０ＲのＲＳ方向先端（ファスナーテープの長さ方向先端）との中間（好ましくは中央）に位置し、かつ、固着脚部７２へ向けて、延出した溝状の欠落部７１であって、固着脚部７２側の端部とは反対側の端部が開放されている。したがって、前方頭部７０Ｆと後方頭部７０Ｒとは、噛合首部７８よりも更に相手側の噛合頭部７０に向けて膨出し、スライドファスナー１０の前後方向（ＦＳ−ＲＳ方向）に独立した頭部として形成されている。【００４１】
図２に示すように、前方頭部７０Ｆ及び後方頭部７０Ｒから延出する一対の固着脚部７２のうち、第１ファスナーストリンガー１６又は第２ファスナーストリンガー１７側の固着脚部７２の内周側の中央部には、第１務歯１２列及び第２務歯１３列を第１ファスナーストリンガー１６又は第２ファスナーストリンガー１７に対して縫着するための縫工糸１５が跨ぐこととなる縫工部７４（凹条溝）を形成してある。【００４２】
更に、固着脚部７２の端部と前方頭部７０Ｆ及び後方頭部７０Ｒとの間の外周側の部分にも、縫工糸１５が跨ぐ縫工部７５（凹条溝）を形成してある。なお、この縫工部７４及び縫工部７５は、固着脚部７２に予め形成した凹条溝に限定されるものではない。例えば、合成樹脂製のモノフィラメントによる連続した務歯のように、縫工糸１５によって縫着した後に、縫着により脚部が撓んで形成される縫工部も含まれる。【００４３】
一対の固着脚部７２の端部には、第１務歯１２列及び第２務歯１３列を形成するにあたって第１務歯１２及び第２務歯１３の間隔を均一に設定して連結する連結糸７６を挿通してある。連結糸７６は、第１務歯１２列及び第２務歯１３列を成形する際に、インサート成形法により一体成形したものである。【００４４】
次に、左右一対の第１務歯１２列及び第２務歯１３列を噛合させた状態について説明する。図４は、スライダー５０を前方（ＦＳ方向）に引き上げて、第１務歯１２列と第２務歯１３列とを噛合させた状態を表す正面断面図である。図５は、第１務歯１２列と第２務歯１３列とを噛合させた状態を示す務歯列単体の平面図であり、同図の下部に示した一対の第１務歯１２及び第２務歯１３については、表裏方向の中央部にて切断した断面を表している。なお、図３にて説明した部位と同一の部位については同一の符号を付して、その説明を省略する。また、スライドファスナー１０の座標軸に関し、実際に製品にスライドファスナー１０を縫着した状態において、製品の表側となる面の方向を図４に示すＯＳ方向と定義し、裏側となる方向を図４に示すＵＳ方向と定義する。【００４５】
図４に示すように、第１務歯１２列と第２務歯１３列とを噛合させた噛合状態においては、噛合頭部７０が相手方の務歯の噛合頭部７０と鰓部７９とで囲まれる嵌挿部７７に嵌挿された状態となっている。このように、第１務歯１２列の噛合頭部７０と第２務歯１３列の噛合頭部７０とが互いに噛合することにより、第１ファスナーストリンガー１６及び第２ファスナーストリンガー１７を左右方向（図４に示す実施形態では、Ｌ−Ｒ方向。）に引っ張った際の横引力に耐えることができる。【００４６】
また、第１務歯１２列の鰓部７９と第２務歯１３列の鰓部７９とが互いに突き合わさる形で噛合することにより、第１ファスナーストリンガー１６及び第２ファスナーストリンガー１７を左右方向（図４に示す実施形態では、Ｌ−Ｒ方向。）から押圧する力に耐えることができる。また、第１務歯１２列（又は第２務歯１３列）の噛合頭部７０を、第２務歯１３列（又は第１務歯１２列）の鰓部７９に挟む形で噛合させることにより、第１ファスナーストリンガー１６及び第２ファスナーストリンガー１７を表裏方向（図４に示す実施形態では、ＯＳ−ＵＳ方向。）に向けて、互いにずらした際の剪断の力に耐えることができる。【００４７】
なお、図２〜図４に示すスライドファスナー１０では、第１ファスナーストリンガー１６及び第２ファスナーストリンガー１７を左右方向に引っ張ると、裏面側にオフセットした位置に縫着されている第１務歯１２列及び第２務歯１３列には、それぞれ回転する力が加わる。【００４８】
図２〜図４に示されるスライドファスナー１０を、図１に示したように、自動車用シート９１のシートカバー９４ａの開口部の閉鎖用に用いると、シートの内部に配されているクッション部材の弾性や、自動車用シート９１に乗員が着座したことにより加わる横引力に対して十分耐えることができる。また、第１務歯１２列及び第２務歯１３列を回転させる力が加わった場合であっても、噛合が簡単に外れてしまう不具合を減少させることができる。【００４９】
なお、図５に示すように、第１務歯１２列と第２務歯１３列とを噛合させた状態では、第１務歯１２（又は第２務歯１３）の噛合頭部７０が、第２務歯１３（又は第１務歯１２）の嵌挿部７７に入り込んだ状態となっている。【００５０】
次に、第１務歯１２列及び第２務歯１３列を噛合させた状態において過大な横引力を印加する場合について説明する。噛合状態にある第１務歯１２列及び第２務歯１３列に横引力を加えると、第１務歯１２列の噛合頭部７０と第２務歯１３列の噛合頭部７０とがそれぞれ左右方向に引っ張られる。このとき、図５に示すように、噛合頭部７０の先端中央部には退避用欠落部７１が形成されているために、前方頭部７０Ｆと後方頭部７０Ｒとは互いに接近する方向（ＯＰ方向）に倒れ込む。すると、噛合頭部７０における前後方向の差し渡し寸法（ＦＳ−ＲＳ方向の幅。）が減少するので、第１務歯１２及び第２務歯１３を互いに離間させる方向に引き抜いてゆくことが可能となる。ここで、噛合頭部７０の前方頭部７０Ｆと後方頭部７０Ｒとが起端する噛合首部７８の形状、退避用欠落部７１の深さ、素材の物性等を適宜調節することで、前方頭部７０Ｆ及び後方頭部７０Ｒの剛性を所定の範囲に設定することができる。【００５１】
次に、開裂横引力以上の横引力が加わった場合において、噛合首部７８が変形する様子を図６に示す。図６は、第１務歯１２列と第２務歯１３列とを噛合させた状態において、左右方向（Ｌ−Ｒ方向）に開裂横引力以上の横引力を加えた際の噛合状態を示す務歯列単体の平面図である。また、第１務歯１２列と第２務歯１３列とが開裂して分離した状態を図７に示す。図７は、第１務歯１２列と第２務歯１３列とが分離状態となった状況を表す務歯列の平面図である。なお、図５にて説明した部位と同一の部位については、同一の符号を付して、その説明を省略する。【００５２】
図６に示すように、開裂横引力以上の横引力（例えば、１３０Ｎ／ｃｍ以上の横引力。）が加わった場合には、前方頭部７０Ｆと後方頭部７０Ｒとが互いに接近する方向（ＯＰ方向）に倒れ込み、退避用欠落部７１の隙間が狭くなる。すると、退避用欠落部７１の隙間が狭くなったぶんだけ噛合頭部７０の差し渡し寸法が減少するので、第１務歯１２及び第２務歯１３を互いに離間する方向に引き抜いてゆくことが可能となる。【００５３】
更に、横引力を増加させてゆくと、図７に示すように、第１務歯１２列及び第２務歯１３列の噛合が完全に外れて離間した状態となる。なお、図７に示す状態では、第１務歯１２列及び第２務歯１３列同士が分離したことにより、前方頭部７０Ｆと後方頭部７０Ｒとが元の位置まで弾性復帰して、退避用欠落部７１の隙間も元の隙間まで開いた状態を示してある。なお、本発明は噛合頭部７０を弾性変形させる実施形態に限定するものではなく、塑性変形させることもできる。このように、前方頭部７０Ｆと後方頭部７０Ｒとを倒れ込ませるための退避用欠落部７１を形成しておくことによって、務歯に想定以上の応力が加わることによる破断を防止することができる。【００５４】
次に、前方頭部７０Ｆと後方頭部７０Ｒとの間に退避用欠落部７１を形成した他の実施形態について説明する。図８は、片方の第１務歯１２列のみに退避用欠落部７１を形成した実施形態を説明する務歯列単体の平面図である。図９は、一部の務歯に退避用欠落部７１を形成した他の実施形態を説明する務歯列単体の平面図である。なお、図５にて説明した部位と同一の部位については、同一の符号を付して、その説明を省略する。【００５５】
図８に示すように、一方の第１務歯１２列の噛合頭部７０みに退避用欠落部７１を形成し、他方の第２務歯１１３列には退避用欠落部７１が形成されていない通常の務歯列を用いても、所定の開裂横引力以上の横引力が加わった場合に開裂させることができる。この場合には、第２務歯１１３列の噛合頭部は変形しないので、第１務歯１２列の噛合頭部７０に形成した退避用欠落部７１の幅を広く設定しておくとよい。【００５６】
また、図９に示すように、退避用欠落部７１が形成されていない通常の第１務歯１１２列及び第２務歯１１３列をスライドファスナーの前後に配置し、スライドファスナーの中央部の一部に、退避用欠落部７１を形成した第１務歯１２列及び第２務歯１３列を配する構成を用いることもできる。この場合には、第１務歯１２列及び第２務歯１３列を配した部分（以降、開裂起点と呼ぶ。）に所定の開裂横引力以上の横引力が加わると、その部分で噛合が外れる。【００５７】
一般にスライドファスナーでは、この開裂起点において噛合が外れると、以降スライダーを操作することなくスライドファスナーの両端部に向けて、第１務歯１１２列及び第２務歯１１３列の噛合が順次外れてゆく。この、順次噛合を外してゆくのに必要な横引力は、開裂横引力よりもはるかに低い横引力である。【００５８】
次に、前方頭部７０Ｆと後方頭部７０Ｒとの間に退避用欠落部７１を形成した務歯の他の実施形態について、図１０〜図１３を用いて説明する。図１０は、Ｕ字状に折り曲げた隠しスライドファスナー用のファスナーストリンガー２１６の一側縁に務歯２１２をインサート成形により取着した状態を示す斜視図である。なお、図５にて説明した部位と同様の機能を有する部位については、同一の符号を付して、その説明を省略する。【００５９】
図１０に示すように、務歯２１２は、固着脚部７２にて折り曲げたファスナーストリンガー２１６の一側縁に取着されている。務歯２１２の噛合頭部７０は、噛合首部７８から膨出する前方頭部７０Ｆと後方頭部７０Ｒから形成されており、前方頭部７０Ｆと後方頭部７０Ｒとの間には、表裏方向に貫通する退避用欠落部７１が形成されている。【００６０】
噛合首部７８及び噛合頭部７０の表面側に形成されている平坦部は、裏係止部１２Ｒであり、噛合首部７８の固着脚部７２側に形成されている嵌挿部７７の上方には、下方に向けた平坦部が形成されている。この、下方に向けた平坦部は、対向する側の務歯の噛合頭部７０が嵌挿部７７に嵌挿された際に、その噛合頭部７０の上面に形成されている裏係止部１２Ｒと噛合する表係止部１２Ｄである。この、裏係止部１２Ｒと表係止部１２Ｄとが係合することにより、表裏方向に対する噛合を行うことが可能となる。【００６１】
図１０に示す構成の務歯２１２列同士を噛合させた場合においても、噛合状態にあるファスナーストリンガー２１６に開裂横引力以上の横引力を加えることで、前方頭部７０Ｆと後方頭部７０Ｒとを互いに接近する方向に倒れ込ませることができる。これにより、退避用欠落部７１の隙間が狭くなって、スライダーを用いずに務歯２１２同士の噛合を外すことができる。【００６２】
次に、図１１を用いて、ファスナーストリンガー３１６の一側縁に務歯３１２をインサート成形により取着した実施形態について説明する。図１１は、表裏方向に対称な務歯３１２の噛合頭部７０に、噛合首部７８から膨出する前方頭部７０Ｆと後方頭部７０Ｒとを形成し、前方頭部７０Ｆと後方頭部７０Ｒとの間に表裏方向に貫通する溝形の退避用欠落部７１を形成した実施形態を示す斜視図である。【００６３】
噛合頭部７０の先端中央には、ファスナーストリンガー３１６のファスナーテープと平行な表裏噛合溝１２Ｈが形成されている。また、嵌挿部７７の中央部には、対向する側の務歯の表裏噛合溝１２Ｈと係合する表裏噛合突起１２Ｓを形成してある。この、表裏噛合溝１２Ｈ及び表裏噛合突起１２Ｓは、対向する側の務歯の表裏噛合突起１２Ｓ及び表裏噛合溝１２Ｈとそれぞれ係合して、表裏方向の噛合を行う部分である。【００６４】
図１１に示す構成の務歯３１２列同士を噛合させた場合においても、噛合状態にあるファスナーストリンガー３１６に開裂横引力以上の横引力を加えることで、前方頭部７０Ｆと後方頭部７０Ｒとを互いに接近する方向に倒れ込ませることができる。これにより、退避用欠落部７１の隙間が狭くなって、スライダーを用いずに務歯３１２同士の噛合を外すことができる。【００６５】
次に、前方頭部７０Ｆと後方頭部７０Ｒとの間に架橋部７３を形成した実施形態について、図１２〜図１４を用いて説明する。図１２は、Ｕ字状に折り曲げた隠しスライドファスナー用の第１ファスナーストリンガー４１６の一側縁に第１務歯４１２をインサート成形により取着した状態を示す斜視図である。図１２に示す第１務歯４１２は、図１０に示した務歯２１２と略同様の形状をしており、図１２では第１務歯４１２をスライドファスナーの裏面側から観察した斜視図である。また、図１３は、図１２に示す第１務歯４１２をＬ−Ｒ方向の切断面で切断した第１務歯４１２の正面断面図である。図１４は、図１２及び図１３に示した第１務歯４１２列及び第２務歯４１３列にスライダー５０を挿通させて、第１務歯４１２列及び第２務歯４１３列同士の噛合又は分離を行っている状態を示す背面図である。なお、図１０にて説明した部位と同様の機能を有する部分については、同一の符号を付して、その説明を省略する。【００６６】
図１２及び図１３に示すように第１務歯４１２は、Ｕ字型に折り曲げた第１ファスナーストリンガー４１６の一側縁に取着されている。第１務歯４１２の噛合頭部７０は、噛合首部７８から膨出する前方頭部７０Ｆと後方頭部７０Ｒから形成されており、前方頭部７０Ｆと後方頭部７０Ｒとの間には退避用欠落部７１が形成されている。また、図１２及び図１３に示すように、第１務歯４１２の噛合頭部７０の先端の表面には、前方頭部７０Ｆと後方頭部７０Ｒとの間を滑らかにつなぐ架橋部７３を形成してある。なお、第１ファスナーストリンガー４１６及び第２ファスナーストリンガー４１７（図１４参照）は、同一の形態のものを用いることができる。【００６７】
噛合頭部７０の中央部に退避用欠落部７１が形成されていると、スライダー５０（図１４参照）を摺動させて左右の第１務歯４１２列及び第２務歯４１３列同士を噛合させてゆく際に、噛合頭部７０の中央部に形成されている退避用欠落部７１に、対向する側の務歯の前方頭部７０Ｆ又は後方頭部７０Ｒが入り込んでしまう可能性がある。このように、退避用欠落部７１と前方頭部７０Ｆ又は後方頭部７０Ｒとが干渉すると、スライダー５０を摺動させる際に引っ掛かりが生じ、滑らかな摺動が阻害される可能性がある。特に、退避用欠落部７１の開口幅が広く、前方頭部７０Ｆ又は後方頭部７０Ｒが小さめな場合であって、退避用欠落部７１がスライドファスナーの表裏方向に貫通する溝として形成されている場合には、スライダー５０の摺動時に引っ掛かる不具合が発生し易い。【００６８】
このように、凹形状の退避用欠落部７１と、凸形状の前方頭部７０Ｆ又は後方頭部７０Ｒとが干渉する可能性がある場合には、噛合頭部７０先端の表面の曲率を大きく設定することで、その干渉を低減することができる。更に、図１２及び図１３に示すように、噛合頭部７０の表面の少なくとも一部に、前方頭部７０Ｆと後方頭部７０Ｒとの間を滑らかにつなぐ架橋部７３を形成することで、退避用欠落部７１と前方頭部７０Ｆ又は後方頭部７０Ｒとの干渉を減少させることができる。【００６９】
次に、図１４を用いて第１務歯４１２列及び第２務歯４１３列にスライダー５０を挿通させた状態について説明する。図１４は、第１ファスナーストリンガー４１６及び第２ファスナーストリンガー４１７にスライダー５０を挿通させた状態で、スライドファスナーの裏面側から観察した背面図であり、スライダー５０を下翼板の直上部で切断した状態を示す断面図である。【００７０】
先ず、図１４を用いてスライダー５０の構成について概略説明する。図１４に示すようにスライダー５０は、スライダー５０の底部を形成する下翼片（図示せず）の前方側（ＦＳ側）から案内柱５０Ｄが立設している。この案内柱５０Ｄの図１４に示す紙面の奥側には、案内柱５０Ｄから張り出す張出部５０Ｅが形成されている。この張出部５０Ｅの更に奥側には、引手５９（図２参照）が傾倒自在に遊嵌されている。【００７１】
スライダー５０の下翼片（図示せず）の左右側縁からは、それぞれフランジ５０Ｆを立設させてある。それぞれのフランジ５０Ｆの上端部には、下翼片と略平行で中央部の張出部５０Ｅに向けて延出させた上翼片を形成してある。下翼片の上面と、案内柱５０Ｄの左右両側面と、上翼片の下面とで囲まれたＹ字型の空間部分は、左右の第１ファスナーストリンガー４１６及び第２ファスナーストリンガー４１７の一側縁に取着した第１務歯１２列及び第２務歯１３列を挿通する務歯案内通路である。【００７２】
図１４に示す案内柱５０ＤのＲＳ方向の端縁は、噛合状態にある左右の第１務歯４１２列及び第２務歯４１３列を分離させるための部分である。第１務歯１２列及び第２務歯１３列を務歯案内通路内に挿通した状態で、スライダー５０をＲＳ方向に摺動させると、噛合状態にある第１務歯１２列及び第２務歯１３列がスライダー５０の後口から導入され、左右方向に分離させることができる。分離した第１務歯１２列及び第２務歯１３列は、スライダー５０の双方の肩口から排出される。ここで、後口はスライダー５０の後方端部（ＲＳ方向端部）で、肩口は案内柱５０Ｄ側の端部の両側に開口する部分である。【００７３】
また、スライダー５０を図１４に示す下方向（ＦＳ方向）に摺動させると、分離状態にある第１務歯４１２と第２務歯４１３とが肩口から導入され、フランジ５０Ｆに沿って案内されて合流し、噛合状態となって図１４に示す上側のスライダー５０の後口から排出される。【００７４】
図１２〜図１４に示すように、第１務歯４１２、第２務歯４１３の噛合頭部７０先端に架橋部７３を形成することによって、噛合時における退避用欠落部７１と前方頭部７０Ｆ又は後方頭部７０Ｒとの干渉を減少させて、スライダー５０の摺動を滑らかにすることができる。また、スライドファスナーの分離時には、退避用欠落部７１がスライダー５０の案内柱５０Ｄの端部と干渉する不具合を減少させて、スライダー５０の摺動を滑らかにすることができる。【００７５】
また、図１２〜図１４に示す実施形態においても、第１務歯４１２列及び第２務歯４１３列同士を噛合させた状態において、第１ファスナーストリンガー４１６及び第２ファスナーストリンガー４１７に開裂横引力以上の横引力を加えることで、前方頭部７０Ｆと後方頭部７０Ｒとが互いに接近する方向に倒れ込み、退避用欠落部７１の隙間が狭くなって、スライダー５０を用いずに第１務歯４１２列及び第２務歯４１３列同士の噛合を外すことができる。【００７６】
次に、前方頭部７０Ｆと後方頭部７０Ｒとの間に退避用欠落部７１を形成した務歯の他の実施形態について図１５を用いて説明する。図１５は、コイル状のモノフィラメントによる務歯５１２の噛合頭部７０の先端に、退避用欠落部７１を形成した実施形態を示す背面図である。【００７７】
図１５に示すように、ファスナーストリンガー５１６の一側縁には、コイル状のモノフィラメントによる務歯５１２列が縫着されている。務歯５１２の先端には、噛合頭部７０が形成されている。噛合頭部７０の表裏側の両端からは、図１５に示すＬ方向に向けて、２つの脚部が二股に分かれて延出している（なお、図１５は背面図であるので、２つの脚部は重なって見える。したがって図１５では、裏面側の脚部のみが見えている）。このコイル状の務歯５１２をファスナーストリンガー５１６に縫着する際には、コイル状の務歯５１２の連通する中央部に芯紐１４を挿通し、脚部に縫工糸１５を跨がせて芯紐１４ごと縫着する。【００７８】
務歯５１２の噛合頭部７０は、噛合首部７８から膨出する前方頭部７０Ｆと後方頭部７０Ｒから形成されており、前方頭部７０Ｆと後方頭部７０Ｒとの間にはスライドファスナーの表裏方向に貫通する退避用欠落部７１を形成してある。この前方頭部７０Ｆ、後方頭部７０Ｒ、及び退避用欠落部７１は、合成樹脂製のモノフィラメントによる務歯５１２を成形した後に、ヒーターや超音波を用いた溶融加工等により形成することができる。【００７９】
このように、コイル状の務歯５１２の噛合頭部に、前方頭部７０Ｆ、後方頭部７０Ｒ、及び退避用欠落部７１を形成することによって、務歯５１２同士を噛合させた場合においても、噛合状態にあるファスナーストリンガー５１６に開裂横引力以上の横引力を加えた際に、前方頭部７０Ｆと後方頭部７０Ｒとを互いに接近する方向に撓ませることができる。すると、退避用欠落部７１の隙間が狭くなって、スライダーを用いずに務歯５１２同士の噛合を外すことができる。
【産業上の利用可能性】
【００８０】
本発明に係るファスナーストリンガーは、エアバッグの膨出用開口部に用いることができる他、膨張用ガスにより膨らむライフジャケットの膨出用開口部、その他の用途に用いることができる。
【図１】
2010106620.tif 000003
【図２】
2010106620.tif 000004
【図３】
2010106620.tif 000005
【図４】
2010106620.tif 000006
【図５】
2010106620.tif 000007
【図６】
2010106620.tif 000008
【図７】
2010106620.tif 000009
【図８】
2010106620.tif 000010
【図９】
2010106620.tif 000011
【図１０】
2010106620.tif 000012
【図１１】
2010106620.tif 000013
【図１２】
2010106620.tif 000014
【図１３】
2010106620.tif 000015
【図１４】
2010106620.tif 000016
【図１５】
2010106620.tif 000017
【国際調査報告】
2010106620.tif 000018
2010106620.tif 000019
2010106620.tif 000020
2010106620.tif 000021